(57)【要約】      （修正有）【課題】鼻孔カニューラと酸素発生装置に連通するチューブとの連結を接着剤以外の方法によって連結したカニューラ装置を提供する。【解決手段】酸素発生装置に連通するチューブ４と、前記チューブに連結するとともに鼻孔に挿入される２本の突出部２ａを備えた鼻孔カニューラとからなる鼻孔カニューラ装置１であって、前記鼻孔カニューラと前記チューブとの接続部１ａを高周波加熱によって溶着して鼻孔カニューラ装置を構成する。【選択図】図１
0003169364.tif 000002
【実用新案登録請求の範囲】
【請求項１】
酸素発生装置に連通するチューブと、前記チューブに連結するとともに鼻孔に挿入される２本の突出部を備えた鼻孔カニューラとからなる鼻孔カニューラ装置であって、
前記チューブと前記鼻孔カニューラとの接続部を高周波加熱によって溶着したことを特徴とする鼻孔カニューラ装置。
【請求項２】
前記酸素発生装置から前記チューブの間の他の部材の接続部も高周波加熱で溶着したことを特徴とする請求項１に記載の鼻孔カニューラ装置。
【請求項３】
請求項１に記載の鼻孔カニューラ装置の鼻孔カニューラとチューブを高周波溶着する溶着装置であって、
絶縁性の土台と、前記土台に起立し上部に前記チューブを挿入した鼻孔カニューラを載せる凹みを備える導電性の左台部と、前記左台部と所定の距離を保って前記土台に起立し上部に前記チューブを載せる凹みを備える導電性の右台部と、前記右台部の凹みに連設され前記右台部の凹みと同形で前記チューブを載せる凹みを備え前記左台部に向け前記左台部と所定の距離を保って連設される導電性の下ホールド部と、からなる下溶着金型と、
絶縁性の固定部と、前記固定部から垂下し底部に前記左台部の凹みと対向して前記チューブを挿入した鼻孔カニューラを挟持する凹部を備える導電性の左押部と、前記左押部と所定の距離を保って前記固定部から垂下し底部に前記右台部の凹みと対向して前記チューブを挟持する凹部を備える導電性の右押部と、前記右押部の凹部に連設され前記右押部の凹部と同形で前記下ホールド部と共に前記チューブを挟持する凹みを備え前記左押部に向け前記左押部と所定の距離を保って連設される導電性の上ホールド部と、からなる上溶着金型と、
前記左台部及び左押部を同極とし、前記右台部及び右押部を同極として、高周波電流を通電する高周波発生装置と、から構成され、
前記通電により前記左台部及び左押部と前記上下ホールド部との間の鼻孔カニューラとチューブの接続部に高周波を発生させ、前記接続部を加熱して溶融させ、冷却することで溶着させることを特徴とする鼻孔カニューラとチューブを連結する溶着装置。
【考案の詳細な説明】
【技術分野】
【０００１】
本考案は、呼吸療法用品であって、酸素発生装置に他の部材等を介して連通するチューブと、チューブに連結するとともに鼻孔に挿入される２本の突出部が設けられている鼻孔カニューラとからなる鼻孔カニューラ装置に関する。
【背景技術】
【０００２】
図７に、従来の鼻孔カニューラ装置２０の一例を示した。一般的な鼻孔カニューラ装置２０は、全体が円筒状で全体の長手方向の中央付近に鼻孔に挿入される突出部３ａが２本設けられている鼻孔カニューラ３と、チューブ４、４と、リング５と、接続管６と、一本管７と、ソケット８とからなり、ソケット８は酸素発生装置（図示せず）に接続される。従って、チューブ４、４は酸素発生装置に連通し、チューブ４、４に連結する鼻孔カニューラ３の突出部３ａ、３ａから酸素が患者に供給される。
【０００３】
鼻孔カニューラ３の両端部３ｂ、３ｂには、一対のチューブ４、４の一方の端部が挿入され、一対のチューブ４、４の他方の端部はストッパリング５でまとめられた状態で接続管６に挿入されている。接続管６には一本管７の一方の端部が挿入されており、一本管７の他方の端部はソケット８に挿入される。
【０００４】
鼻孔カニューラ３は、金型の円柱状のキャビティ内に円柱状の中子を配置し、この金型と成形材料とを用いて鼻孔カニューラ３を射出成形し、射出成形された鼻孔カニューラ３内から中子を引き抜くことによって製造されている。
【０００５】
その他、特許文献１等多くの発明、考案が公開されている。特許文献１に記載の発明鼻孔カニューラ装置は、製造コスト及び使用コストを低減させることと装着時の適合感を向上させることとを同時に達成することができる鼻孔カニューラであって、チューブに連結される一対の端部同士の間に、鼻孔に挿入される突出部が設けられている鼻孔カニューラにおいて、前記端部における内面の対向間隔よりも広い対向間隔の内面を有する中間部が前記一対の端部同士の間に設けられており、スチレン系エラストマーからなるというものである。
【先行技術文献】
【特許文献】
【０００６】
【特許文献１】特開２００３−３８６４７号公報
【考案の概要】
【考案が解決しようとする課題】
【０００７】
特許文献１等、多くの鼻孔カニューラ装置が開発、流通している。しかしながら、従来の鼻孔カニューラ装置の多くは、鼻孔カニューラ３と酸素発生装置に連通するチューブ４、４の連結（接続部２０ａ）、そして他の部材の接続部の連結は、接着剤で行っていた。そのため、吸気に溶剤のニオイがあり、使用者にとって不快で、環境にも良くなかった。
【０００８】
そこで、本考案は、鼻孔カニューラと酸素発生装置に連通するチューブとの連結を接着剤以外の方法によって連結したカニューラ装置を提供することを目的とする。
【課題を解決するための手段】
【０００９】
本考案は、上記課題を解決するために、
（１）
酸素発生装置に連通するチューブと、前記チューブに連結するとともに鼻孔に挿入される２本の突出部を備えた鼻孔カニューラとからなる鼻孔カニューラ装置であって、前記チューブと前記鼻孔カニューラとの接続部を高周波加熱によって溶着したことを特徴とする鼻孔カニューラ装置の構成とした。
（２）
前記酸素発生装置から前記チューブの間の他の部材の接続部も高周波加熱で溶着したことを特徴とする（１）に記載の鼻孔カニューラ装置の構成とした。
（３）
（１）に記載の鼻孔カニューラ装置の鼻孔カニューラとチューブを高周波溶着する溶着装置であって、
絶縁性の土台と、前記土台に起立し上部に前記チューブを挿入した鼻孔カニューラを載せる凹みを備える導電性の左台部と、前記左台部と所定の距離を保って前記土台に起立し上部に前記チューブを載せる凹みを備える導電性の右台部と、前記右台部の凹みに連設され前記右台部の凹みと同形で前記チューブを載せる凹みを備え前記左台部に向け前記左台部と所定の距離を保って連設される導電性の下ホールド部と、からなる下溶着金型と、
絶縁性の固定部と、前記固定部から垂下し底部に前記左台部の凹みと対向して前記チューブを挿入した鼻孔カニューラを挟持する凹部を備える導電性の左押部と、前記左押部と所定の距離を保って前記固定部から垂下し底部に前記右台部の凹みと対向して前記チューブを挟持する凹部を備える導電性の右押部と、前記右押部の凹部に連設され前記右押部の凹部と同形で前記下ホールド部と共に前記チューブを挟持する凹みを備え前記左押部に向け前記左押部と所定の距離を保って連設される導電性の上ホールド部と、からなる上溶着金型と、
前記左台部及び左押部を同極とし、前記右台部及び右押部を同極として、高周波電流を通電する高周波発生装置と、から構成され、
前記通電により前記左台部及び左押部と前記上下ホールド部との間の鼻孔カニューラとチューブの接続部に高周波を発生させ、前記接続部を加熱して溶融させ、冷却することで溶着させることを特徴とする鼻孔カニューラとチューブを連結する溶着装置の構成とした。
（４）
前記上下ホールド部が、前記チューブを囲う筒を分割したもので、かつ前記上下ホールドの先端と前記左右押部との距離を２〜３ｍｍとしたことを特徴とする（３）に記載の鼻孔カニューラとチューブを連結する溶着装置の構成とした。
【考案の効果】
【００１０】
本考案は、鼻孔カニューラと酸素発生装置に連設するチューブとの連結を、高周波の発熱によって溶着しているため、吸気に接着剤の溶剤臭がない。従って、患者は快適かつ安心して酸素吸引をすることができる。
【００１１】
また、本考案の鼻孔カニューラとチューブを連結する溶着装置を用いることで、容易に、鼻孔カニューラと酸素発生装置に連設するチューブと高周波によって溶着することができる。従って、低廉でかつ安全なカニューラ装置を提供することができる。
【図面の簡単な説明】
【００１２】
【図１】本考案であるカニューラ装置の模式図である。
【図２】鼻孔カニューラとチューブを連結する溶着装置の分解斜視図である。
【図３】鼻孔カニューラとチューブを連結する溶着装置による溶着状態を示す正面図である。
【図４】鼻孔カニューラとチューブを溶着する溶着装置を構成する上溶着金型の説明図である。
【図５】鼻孔カニューラとチューブを溶着する溶着装置を構成する下溶着金型の説明図である。
【図６】高周波溶着の説明図である。
【図７】従来のカニューラ装置の斜視模式図である。
【考案を実施するための形態】
【００１３】
以下、添付図面に基づいて、本考案について詳細に説明する。
【実施例１】
【００１４】
図１に示すように、本考案である鼻孔カニューラ装置１は、鼻孔カニューラ２と、鼻孔カニューラ２の両端部２ｂ、２ｂと挿入、連結するとともに、酸素発生装置（図示せず）に連通する２本１対のチューブ４、４とからなり、鼻孔カニューラ２とチューブ４、４との接続部１ａを高周波加熱によって溶着したものである。
【００１５】
鼻孔カニューラ２は、本体が筒状で、本体に連設し鼻孔に挿入される２本の突出部２ａ、２ａを備える。チューブ４、４は、従来同様、接続管６、一本管７、ソケット８を介して、酸素発生装置に連設する。その他の部材を介して酸素発生装置に連設してもよい。
【００１６】
いずれにしても、鼻孔カニューラ２は、チューブ４、４と接続し、チューブ４、４は酸素発生装置と繋がり、酸素発生装置から送られる酸素を鼻孔カニューラ２の突出部２ａ、２ａから吐出する。これにより、呼吸療法を受ける患者は、鼻から酸素の供給を受ける。
【００１７】
鼻孔カニューラ２及びチューブ４の素材は、従来から使用されている鼻孔カニューラ３、チューブ４と同じ素材（軟質塩化ビニル等）でよい。その他、高周波で発熱、溶融する素材であれば採用できる。
【００１８】
高周波は、接続部１ａに照射され、鼻孔カニューラ２とチューブ４の接続部１ａを発熱、溶融させればどのような周波数、発生手段を採用してもよい。ここで、高周波とは、電磁波のうち周波数が３０ｋＨｚ〜３００ＭＨｚのものである。高周波によって鼻孔カニューラ２及びチューブが発熱する原理は、被加熱物(誘電体）が電界内に置かれることで誘電体内に分極が起こり、電荷が生じて被加熱物自体の激しい内部摩擦である。発熱で鼻孔カニューラ２とチューブ４の接続部１ａが溶融して、冷却されることで溶着する。
【実施例２】
【００１９】
次に、高周波による鼻孔カニューラとチューブを高周波溶着する溶着装置の一例を図２〜図６を参照して、説明する。
【００２０】
図２に鼻孔カニューラとチューブを連結する溶着装置９の分解斜視図、図３に溶着時の正面図、図４に上溶着金型１０の正面（Ａ）、左側面（Ｂ）、右側面（Ｃ）、図５に下溶着金型１１の正面（Ａ）、左側面（Ｂ）、右側面（Ｃ）、図６に溶着時の溶着部の部分拡大図を示した。
【００２１】
図２〜図６に示すように、鼻孔カニューラとチューブを連結する溶着装置９は、下溶着金型１１と、上溶着金型１０と、交流電源１３から電力の供給を受ける高周波発生装置１３とからなる。図２に示すように、ここでは、上下溶着金型１０、１１を用いた鼻孔カニューラとチューブを連結する溶着装置９を例示する。上下溶着金型１０、１１は、高周波電流を通電して高周波を接続部１ａに印加するとともに接続した鼻孔カニューラ２とチューブ４の保持部である。
【００２２】
下溶着金型１１は、土台１１ａと、左台部１１ｂと、右台部１１ｄと、下ホールド部１１ｆとからなる。土台１１ａは、載置安定性がよい形状、ここでは四角柱の絶縁性で、高周波溶着時に、台などに置かれる部分である。
【００２３】
左台部１１ｂは、導電性で、土台１１ａに起立し、上部にチューブ４の端部４ａを挿入した鼻孔カニューラ２の端部４ｂを載せる凹み１１ｃを備える。ここでは、断面Ｌ字で、ボルト１１ｇなどの留め具で土台１１ａに固定した。右台部１１ｄも同様とした。
【００２４】
右台部１１ｄは、導電性で、左台部１１ｂと所定の距離を保って土台１１ａに起立し、上部に一方のチューブ４を載せる凹み１１ｅを備える。
【００２５】
下ホールド部１１ｆは、導電性で、右台部１１ｄの凹み１１ｅに連設され、右台部１１ｄの凹み１１ｅと同形でチューブ４を載せる凹みを備え、左台部１１ｂに向け左台部１１ｂと所定の距離（スペース１１ｈ）を保って連設される。スペース１１ｈの幅は、２〜３ｍｍ程度が好ましい。スペース１１ｈに高周波が発生し、このスペース１１ｈに位置する鼻孔カニューラ２とチューブ４が高周波によって発熱、溶融する。
【００２６】
上溶着金型１０は、固定部１０ａと、左押部１０ｂ、右押部１０ｄ、上ホールド部１０ｆ、さらに必要に応じて、取付部１０ｈからなる。固定部１０ａは、ここでは四角柱の絶縁性で、上下動するシリンダ等に固定される取付部１０ｈに連設する。
【００２７】
取付部１０ｈは、固定部１０ａが絶縁性で強度がない場合に、金属製として上下動するシリンダ等（上下動装置）に固定される部材である。取付部１０ｈを上下動装置に固定することで、固定部１０ａ及び左右押部１０ｂ、１０ｄが取付部１０ｈとともに上下動して、鼻孔カニューラ２とチューブ４の載置、取り出し作業を容易にできる。
【００２８】
左押部１０ｂは、導電性で、固定部１０ａから垂下し、底部に左台部１１ｂの凹み１１ｃと対向してチューブ４の端部４ａを挿入した鼻孔カニューラ２の端部２ｂを挟持する凹部１０ｃを備える。ここでは、断面Ｌ字で、ボルト１０ｇなどの留め具で固定部１０ａに固定した。右押部１０ｄも同様とした。
【００２９】
右押部１０ｄは、導電性で、左押部１０ｂと所定の距離を保って固定部１０ａから垂下し、底部に右台部１１ｄの凹み１１ｅと対向してチューブ４を挟持する凹部１０ｅを備える。
【００３０】
上ホールド部１０ｆは、導電性で、右押部１０ｄの凹部１０ｅに連設され、右押部１０ｄの凹部１０ｅと同形で下ホールド部１１ｆと共にチューブ４を挟持する凹みを備え、左押部１０ｂに向け左押部１０ｂと所定の距離を保って連設される。
【００３１】
下ホールド部１１ｆとともに、上ホールド部１０ｆは、チューブ４を囲う薄い筒を２分割したもので同形状である。なお、上下ホールド部１０ｆ、１１ｆとは、ショートさせないよう間隙９ａを設けて接触させない。同様に、左台部１１ｂと左押部１０ｂ、右台部１１ｄと右押部１０ｄも間隙９ａを設けて接触させない。スペース１１ｈとともに、上下ホールド部の形状、位置が接続部１ａに効果的に高周波を発生させ、印加するために、特に重要である。
【００３２】
高周波発生装置１２は、交流電源１３から交流電流の供給を受け、所望の高周波電流の周波数に変換して、高周波電流を出力する装置である。図３、図６に示すように、左台部１１ｂ及び左押部１０ｂを同極とし、右台部１１ｄ及び右押部１０ｄを同極として、高周波発生装置１２から高周波電流が通電される。
【００３３】
そして、左台部１１ｂ及び左押部１０ｂと上下ホールド部１０ｆ、１１ｆとの間の高周波印加領域１２ａに位置する鼻孔カニューラ２とチューブ４の接続部１ａに高周波が発生（集中）する。その結果、接続部１ａが加熱され、溶融し、冷却することで溶着する。
【符号の説明】
【００３４】
１      カニューラ装置
１ａ    接続部
２      鼻孔カニューラ
２ａ    突出部
２ｂ    端部
３      鼻孔カニューラ
３ａ    突出部
３ｂ    端部
４      チューブ
４ａ    端部
５      リング
６      接続管
７      一本管
８      ソケット
９      鼻孔カニューラとチューブを連結する溶着装置
９ａ    間隙
１０    上溶着金型
１０ａ  固定部
１０ｂ  左押部
１０ｃ  凹部
１０ｄ  右押部
１０ｅ  凹部
１０ｆ  上ホールド部
１０ｇ  ボルト
１０ｈ  取付部
１１    下溶着金型
１１ａ  土台
１１ｂ  左台部
１１ｃ  凹み
１１ｄ  右台部
１１ｅ  凹み
１１ｆ  下ホールド部
１１ｇ  ボルト
１１ｈ  スペース
１２    高周波発生装置
１２ａ  高周波印加領域
１３    交流電源
２０    カニューラ装置
２０ａ  接続部
【図１】
0003169364.tif 000003
【図２】
0003169364.tif 000004
【図３】
0003169364.tif 000005
【図４】
0003169364.tif 000006
【図５】
0003169364.tif 000007
【図６】
0003169364.tif 000008
【図７】
0003169364.tif 000009